(57)【要約】      （修正有）【課題】室外機を薄型化しつつ、モータの内部への水滴の浸入を防止できる構造を提供する。【解決手段】ファンユニット１２は、エアコンディショナーの室外機１に用いられ、モータ２と、モータの動力によって回転するインペラ３と、インペラ３の前方に配置され、インペラ３の回転により生じる気流を通過させる複数の貫通孔４４を有するパネル４を有する。モータ２は、ステータ２１２を有する静止部２１と、ステータ２１２よりも径方向外側に位置するマグネット２２３を有する回転部２２を有する。静止部２１は、パネル４に固定される。静止部２１またはパネル４は、中心軸９を中心とする環状溝部を有し、回転部２２は、中心軸９を中心とする環状端部を有し、環状溝部内に、環状端部が配置されることにより、モータ２内部への水滴の浸入経路が長くなる。したがって、パネル４にモータ２を固定しつつ、ステータ２１２への水滴の付着を抑制できる。【選択図】図２
2019011871.tif 000002
【特許請求の範囲】
【請求項１】
エアコンディショナーの室外機に用いられるファンユニットであって、
モータと、
前記モータの動力によって、前後に延びる中心軸周りに回転するインペラと、
前記インペラの前方に配置され、前記インペラの回転により生じる気流を通過させる複数の貫通孔を有するパネルと、
を有し、
前記モータは、
ステータを有する静止部と、
前記ステータよりも径方向外側に位置するマグネットを有する回転部と、
を有し、
前記静止部は、前記パネルに固定され、
前記静止部または前記パネルは、前記中心軸を中心とする環状溝部を有し、
前記回転部は、前記中心軸を中心とする環状端部を有し、
前記環状溝部内に、前記環状端部が配置されるファンユニット。
【請求項２】
請求項１に記載のファンユニットであって、
前記環状溝部は、
環状の内壁面と、
前記内壁面よりも径方向外側に位置し、前記内壁面と径方向に向かい合う環状の外壁面と、
環状の底面と、
で構成され、
前記環状端部は、前記内壁面および前記外壁面の少なくとも一方と径方向に対向するファンユニット。
【請求項３】
請求項２に記載のファンユニットであって、
前記環状端部は、前記内壁面および前記外壁面の双方と径方向に対向するファンユニット。
【請求項４】
請求項２または請求項３に記載のファンユニットであって、
前記回転部は、前記マグネットの径方向外側かつ前記インペラの径方向内側に位置する円筒部を有し、
前記円筒部の前端部が、前記環状端部であるファンユニット。
【請求項５】
請求項４に記載のファンユニットであって、
前記外壁面の軸方向の長さは、前記内壁面の軸方向の長さよりも短いファンユニット。
【請求項６】
請求項１から請求項５までのいずれか１項に記載のファンユニットであって、
前記静止部は、軸方向に対して垂直に拡がり、前記パネルに固定されるベース部を有し、
前記ベース部が、前記環状溝部を有するファンユニット。
【請求項７】
エアコンディショナーの室外機に用いられるファンユニットであって、
モータと、
前記モータの動力によって、前後に延びる中心軸周りに回転するインペラと、
前記インペラの前方に配置され、前記インペラの回転により生じる気流を通過させる複数の貫通孔を有するパネルと、
を有し、
前記モータは、
ステータを有する静止部と、
前記ステータよりも径方向外側に位置するマグネットを有する回転部と、
を有し、
前記静止部は、前記パネルに固定され、
前記静止部または前記パネルは、前記中心軸を中心とする環状凸部を有し、
前記回転部は、前記中心軸を中心とする環状溝部を有し、
前記環状溝部内に、前記環状凸部が配置されるファンユニット。
【請求項８】
請求項１から請求項７までのいずれか１項に記載のファンユニットであって、
前記静止部は、前記ステータの少なくとも一部を覆うモールド樹脂を有するファンユニット。
【請求項９】
請求項１から請求項８までのいずれか１項に記載のファンユニットと、
熱交換器と、
を有し、
前記熱交換器と前記パネルとの間に、前記インペラが配置され、
前記気流は、前記熱交換器側から前記パネル側に向かって発生する室外機。
【発明の詳細な説明】
【技術分野】
【０００１】
本発明は、エアコンディショナーの室外機に用いられるファンユニット、および、エアコンディショナーの室外機に関する。
【背景技術】
【０００２】
従来、エアコンディショナーの室外機は、吸気口および排気口を有する筐体と、吸気口と排気口との間に配置されたファンモータと、吸気口に取り付けられた熱交換器と、排気口に取り付けられたパネルとを有する。従来の室外機の構造は、例えば、特開平０９−１５９２１６号公報に記載されている。
【０００３】
一般的な室外機では、ファンモータを筐体に固定するために、モータブラケット、モータステー等と呼ばれるファンモータ支持具を用いる。特開平０９−１５９２１６号公報には、このようなファンモータ支持具がファンモータのインペラの下流側または上流側に配置された室外機が開示されている（図１（Ａ）、図２）。
【特許文献１】特開平０９−１５９２１６号公報
【発明の概要】
【発明が解決しようとする課題】
【０００４】
一方、近年、室外機の薄型化が求められている。ファンモータ支持具を用いてファンモータを筐体に固定すると、ファンモータのインペラと、排気口または吸気口との間にファンモータ支持具を配置するための空間が必要となる。したがって、室外機のさらなる薄型化が困難である。
【０００５】
室外機をさらに薄型化するための方法として、ファンモータ支持具を省略して、ファンモータをパネルに固定する方法が考えられる。しかしながら、一般的に室外機は屋外に設置される。このため、ファンモータをパネルに固定すると、ファンモータが雨風にさらされやすくなる。したがって、ファンモータの内部に水滴が浸入しやすくなる。
【０００６】
本発明の目的は、室外機を薄型化しつつ、モータの内部への水滴の浸入を防止できる構造を提供することである。
【課題を解決するための手段】
【０００７】
本願の例示的な第１発明は、エアコンディショナーの室外機に用いられるファンユニットであって、モータと、前記モータの動力によって、前後に延びる中心軸周りに回転するインペラと、前記インペラの前方に配置され、前記インペラの回転により生じる気流を通過させる複数の貫通孔を有するパネルと、を有し、前記モータは、ステータを有する静止部と、前記ステータよりも径方向外側に位置するマグネットを有する回転部と、を有し、前記静止部は、前記パネルに固定され、前記静止部または前記パネルは、前記中心軸を中心とする環状溝部を有し、前記回転部は、前記中心軸を中心とする環状端部を有し、前記環状溝部内に、前記環状端部が配置される。
【０００８】
本願の例示的に第２発明は、エアコンディショナーの室外機に用いられるファンユニットであって、モータと、前記モータの動力によって、前後に延びる中心軸周りに回転するインペラと、前記インペラの前方に配置され、前記インペラの回転により生じる気流を通過させる複数の貫通孔を有するパネルと、を有し、前記モータは、ステータを有する静止部と、前記ステータよりも径方向外側に位置するマグネットを有する回転部と、を有し、前記静止部は、前記パネルに固定され、前記静止部または前記パネルは、前記中心軸を中心とする環状凸部を有し、前記回転部は、前記中心軸を中心とする環状溝部を有し、前記環状溝部内に、前記環状凸部が配置される。
【発明の効果】
【０００９】
本願の例示的な第１発明によれば、環状溝部と環状端部とで、ラビリンス構造が形成される。これにより、水滴の浸入経路が長くなる。したがって、パネルにモータを固定し、かつ、ステータへの水滴の付着を抑制できる。
【００１０】
本願の例示的な第２発明によれば、環状溝部と環状凸部とで、ラビリンス構造が形成される。これにより、水滴の浸入経路が長くなる。したがって、パネルにモータを固定し、かつ、ステータへの水滴の付着を抑制できる。
【図面の簡単な説明】
【００１１】
【図１】図１は、室外機の斜視図である。
【図２】図２は、室外機の縦断面図である。
【図３】図３は、パネルの正面図である。
【図４】図４は、パネルの背面図である。
【図５】図５は、パネルの部分断面図である。
【図６】図６は、変形例に係るファンユニットの部分断面図である。
【図７】図７は、変形例に係るファンユニットの部分断面図である。
【発明を実施するための形態】
【００１２】
以下、本発明の例示的な実施形態について、図面を参照しながら説明する。なお、以下の説明においては、室外機の吸気口側を「後」、排気口側を「前」として、前後方向を定義する。図１、図２および図５では、前方を「Ｆ」、後方を「Ｂ」として、前後方向が矢印で示されている。
【００１３】
＜１．室外機の構成＞
図１は、一実施形態に係る室外機１の斜視図である。図２は、室外機１の縦断面図である。この室外機１は、エアコンディショナーの室外機であり、エアコンディショナーの室内機とともに用いられ、室内機を介して室内の熱を室外へと放出するために用いられる。
【００１４】
室外機１は、筐体１１と、ファンユニット１２と、熱交換器１３と、電源１４と、図示を省略した圧縮機とを有する。筐体１１は、熱交換器１３および後述するインペラ３を内部に収容する略直方体状の筐体である。筐体１１は、前面すなわち正面に排気口１１１を有し、後面すなわち背面に吸気口１１２を有する。
【００１５】
ファンユニット１２は、モータ２と、インペラ３と、パネル４とを有する。インペラ３は、モータ２の動力によって、前後に延びる中心軸９周りに回転する。パネル４は、排気口１１１を覆う。パネル４は、インペラ３の回転により生じる気流を通過させる複数の貫通孔４４を有する。熱交換器１３は、吸気口１１２に配置される。電源１４は、モータ２へ駆動電流を供給する装置である。電源１４とモータ２とは、リード線１５を介して電気的に接続される。なお、図１中、電源１４およびリード線１５は破線で示されている。
【００１６】
モータ２が駆動されると、インペラ３が回転し、後方から前方へ向かう気流が発生する。これにより、外気が吸気口１１２を通って筐体１１内に吸入され、熱交換器１３を通過する。当該外気は、熱交換器１３の伝熱管内を循環する冷媒と熱交換して加熱または冷却された後、排気口１１１から外部に排出される。
【００１７】
＜２．ファンユニットの構成＞
続いて、ファンユニット１２の構成について、図２〜図５を参照しつつ説明する。図３は、室外機１に用いられるファンユニット１２のパネル４の正面図である。図４は、パネル４の背面図である。図５は、図３および図４のＡ−Ａ’線に沿ったパネル４の部分断面図である。上記の通り、ファンユニット１２は、モータ２と、インペラ３と、パネル４とを有する。
【００１８】
モータ２は、静止部２１と、回転部２２とを有する。静止部２１は、ベース部２１１と、ステータ２１２とを有する。回転部２２は、静止部２１に対して、前後に延びる中心軸９周りに回転可能に支持される。回転部２２は、シャフト２２１と、ロータカップ２２２と、マグネット２２３とを有する。
【００１９】
ベース部２１１は、パネル４の後述する中央部４１に固定される第１固定部５１と、第１固定部５１から後方へ延びる略円筒状の第２固定部５２とを有する。第１固定部５１は、軸方向に対して垂直に拡がる。第２固定部５２の内周部には、２つの軸受機構５２１が備えられている。シャフト２２１は、その一部が第２固定部５２の径方向内側に収容され、軸受機構５２１を介して第２固定部５２に対して回転可能に支持される。本実施形態の軸受機構５２１は、第２固定部５２の内周面に固定される外輪と、シャフト２２１の外周面に固定される内輪とを有するボールベアリングである。ただし、ボールベアリングに代えて、スリーブ軸受等の他方式の軸受が用いられてもよい。
【００２０】
ステータ２１２は、ステータコア５３と、コイル５４とを有する。ステータコア５３は、例えば、珪素鋼板等の電磁鋼板が軸方向に積層された積層鋼板からなる。ステータコア５３は、第２固定部５２の外周面に固定される。また、ステータコア５３は、径方向外側へ向けて突出した複数のティース５３１を有する。複数のティース５３１は、周方向に略等間隔に配列される。コイル５４は、各ティース５３１の周囲に巻かれた導線により構成される。
【００２１】
シャフト２２１は、軸方向に延びる略円柱状の部材である。シャフト２２１の前端を含む一部は、ベース部２１１の第２固定部５２の径方向内側に配置される。シャフト２２１の後端は、第２固定部５２の後端よりも後側へ突出している。
【００２２】
ロータカップ２２２は、円板部６１と円筒部６２とを有する。円板部６１は、シャフト２２１の外周部から径方向に拡がる板状の部位である。シャフト２２１の後端付近は、円板部６１の径方向内側の端部に固定される。円筒部６２は、円板部６１の外周部から軸方向に延びる略円筒状の部位である。円筒部６２は、マグネット２２３の径方向外側かつインペラ３の径方向内側に位置する。
【００２３】
マグネット２２３は、ステータ２１２よりも径方向外側に位置する略円環状のマグネットである。マグネット２２３の内周面は、複数のティース５３１の径方向外側の端面と、径方向に対向する。また、マグネット２２３の内周面には、Ｎ極とＳ極とが、周方向に交互に着磁されている。
【００２４】
なお、円環状のマグネット２２３に代えて、複数のマグネットが使用されていてもよい。複数のマグネットを使用する場合には、Ｎ極とＳ極とが交互に並ぶように、複数のマグネットを周方向に配列すればよい。また、円筒部をプラスチックマグネットで形成してもよい。
【００２５】
インペラ３は、ロータカップ２２２の円筒部６２の外周面から径方向外側へ延びる複数の羽根３１を有する。インペラ３は、熱交換器１３よりも前方、かつ、パネル４よりも後方に配置される。モータ２の駆動時には、インペラ３が、中心軸９周りに回転する。それにより、前方へ向かう気流が発生する。
【００２６】
パネル４は、筐体１１の排気口１１１に配置される。すなわち、パネル４は、インペラ３の前方において、水平面に対して垂直に配置される。パネル４は、インペラ３の回転により生じる気流を通過させる複数の貫通孔４４を有する。パネル４は、フィンガーガードとして使用者等の指がインペラと接触するのを防止するとともに、外部から排気口１１１を介して筐体１１内に異物が進入するのを防止する。パネル４は、中央部４１と、枠部４２と、通気部４３と、１つのリブ６０とを有する。
【００２７】
中央部４１は、モータ２の静止部２１を支持する部位である。具体的には、ベース部２１１の第１固定部５１が中央部４１の背面に設けられた凹部に嵌まることにより、ベース部２１１が中央部４１に固定される。
【００２８】
枠部４２は、中央部４１の径方向外側において、排気口１１１の縁部に沿って配置される略円環状の部位である。
【００２９】
通気部４３は、中央部４１の径方向外側かつ枠部４２の径方向内側に拡がる略円環状の部位である。通気部４３には、複数の貫通孔４４が設けられる。
【００３０】
図３および図４に示すように、本実施形態では、中央部４１および枠部４２と隣接する貫通孔４４を除いて、貫通孔４４の軸方向に見た形状が、正六角形である。このように、貫通孔４４の形状が多角形であることにより、パネル４の剛性を向上できる。さらに、貫通孔４４の形状が正六角形であることにより、パネル４の剛性をより向上できる。
【００３１】
本実施形態では、通気部４３は、軸方向に対して垂直に延び、かつ、軸方向に厚みを有する仕切部４３１により形成されている。このため、仕切部４３１がハニカム形状に連なることにより、正六角形の貫通孔４４が形成される。
【００３２】
リブ６０は、中央部４１の外周部から径方向外側へ向けて延びる。リブ６０の周方向の幅は、通気部４３の他の部分の軸方向に見た幅よりも大きい。すなわち、リブ６０の周方向の幅は、仕切部４３１の幅よりも大きい。なお、ここでいう仕切部４３１の幅とは、軸方向に対して垂直、かつ、仕切部４３１の延びる方向に対して垂直な方向の幅を指すものとする。
【００３３】
本実施形態では、リブ６０の前端部は、通気部４３の他の部分の前端部と軸方向の位置が略同一である。また、リブ６０の後端部は、通気部４３の他の部分の後端部と軸方向の位置が略同一である。すなわち、リブ６０は、通気部４３の他の部分よりも軸方向に突出していない。
【００３４】
パネル４がモータ２を支持することにより、モータ２からパネル４に、駆動時の振動が伝播しやすくなる。しかしながら、このファンユニット１２では、パネル４がリブ６０を有することにより、パネル４の剛性が向上する。これにより、モータ２の駆動時におけるパネル４の振動を抑制できる。その結果、パネル４の変形を抑制できる。
【００３５】
本実施形態では、貫通孔４４は、通気部４３のみに設けられる。すなわち、貫通孔４４は、パネル４のうち中央部４１を除く領域に設けられている。このようにすれば、モータ２を取り付ける中央部４１において、貫通孔４４による剛性の低下が抑制される。したがって、モータ２をパネル４に対して強固に固定できる。
【００３６】
なお、本実施形態のパネル４は、プラスチックにより一体に成形される。したがって、中央部４１、枠部４２、通気部４３およびリブ６０は、一体に成形される。しかしながら、本発明はこれに限られない。例えば、通気部は、針金状の金属により形成された金網であってもよい。また、リブ６０は、中央部４１、枠部４２および通気部４３とは別体の部材であってもよい。
【００３７】
本実施形態では、室外機１は、モータ２から延び、電源１４と接続されるリード線１５を有する。モータ２の静止部２１は、リード線１５を保持するリード線保持部２１３を有する。リード線保持部２１３は、ベース部２１１と一体に形成される。図４中には、モータ２のロータカップ２２２の外周面と、リード線保持部２１３と、リード線１５の一部とが破線で示されている。
【００３８】
図４に示すように、リブ６０は、後端面から前方へ向かって凹む保持溝６００を有する。保持溝６００は、リブ６０の延びる方向に沿って延びる。また、保持溝６００は、その内部にリード線１５を保持する。これにより、リード線保持部２１３を介してモータ２から径方向外側に延びるリード線１５の一部は、リブ６０に沿って配置される。
【００３９】
リード線１５がリブ６０に沿って配置されることにより、リード線１５が貫通孔４４と軸方向に重なるのが抑制される。したがって、リード線１５による送風量の低下を抑制できる。また、リード線１５が保持溝６００内に保持されることにより、リード線１５の位置ずれを抑制できる。さらに、リード線１５がインペラ３に接触することも抑制できる。
【００４０】
なお、リブ６０は、保持溝６００を有していなくてもよい。例えば、リブ６０の背面側にスナップフィット式の固定用突起を設け、当該固定用突起によりリード線１５を固定してもよい。また、その他の方法によりリブ６０の背面側にリード線１５を固定してもよい。
【００４１】
図５に示すように、通気部４３において、貫通孔４４を形成する仕切部４３１は、背面側にテーパ面４３２を有する。これにより、仕切部４３１の後端部付近は、後方に向かうにつれて厚みが小さくなる。したがって、インペラ３により発生した風が、通気部４３の仕切部４３１の後端に達した際に、テーパ面４３２にガイドされて貫通孔４４へと向かう。その結果、インペラ３により発生した風が仕切部４３１に衝突することで騒音が発生するのが抑制される。
【００４２】
＜３．ラビリンス構造について＞
このファンユニット１２は、モータ２の内部への水滴の浸入を抑制するためのラビリンス構造７０を有する。以下では、ファンユニット１２の当該ラビリンス構造７０について説明する。
【００４３】
図６は、ファンユニット１２の部分断面図である。図６に示すように、本実施形態では、静止部２１に属するベース部２１１が、中心軸９を中心として環状に凹む環状溝部２１４を有する。環状溝部２１４は、第１固定部５１の後方の面から軸方向前方へ向かって凹んでいる。また、回転部２２に属するロータカップ２２２の円筒部６２は、軸方向前端に中心軸９を中心とする環状端部２２４を有する。環状端部２２４は、全周に亘り環状溝部２１４内に配置される。環状溝部２１４と環状端部２２４との間には、隙間７１が設けられる。このため、ロータカップ２２２は、ベース部２１１と接触することなく、スムーズに回転する。
【００４４】
ロータカップ２２２の内部と外部とは、隙間７１を介して連通する。しかしながら、環状溝部２１４内に環状端部２２４が位置することで、隙間７１が屈曲した形状となる。したがって、モータ２の内部への水滴の浸入経路が長くなる。これにより、モータ２の内部への水滴の浸入を抑制することができる。環状端部２２４の外周面は、ロータカップ２２２の円筒部６２よりも径方向内側への水滴の浸入を止める防水壁となる。
【００４５】
環状溝部２１４は、環状の内壁面２１５と、環状の外壁面２１６と、環状の底面２１７とで構成される。外壁面２１６は、内壁面２１５よりも径方向外側に位置し、内壁面２１５と径方向に向かい合う。環状溝部２１４内に配置された環状端部２２４は、内壁面２１５および外壁面２１６の少なくとも一方と径方向に対向する。このようにすれば、モータ２の外部からモータ２の内部への水滴の浸入経路が、少なくとも１回、軸方向に切り替わる。これにより、モータ２の内部への水滴の浸入経路を長くすることができる。
【００４６】
なお、本実施形態では、環状端部２２４は、内壁面２１５および外壁面２１６の双方と径方向に対向する。このようにすれば、モータ２の内部への水滴の浸入経路が、２回軸方向に切り替わる。これにより、モータ１の内部への水滴の浸入経路をより長くすることができる。
【００４７】
また、本実施形態では、外壁面２１６の軸方向の長さが、内壁面２１５の軸方向の長さよりも短い。これにより、円筒部６２の径方向外側に、インペラ３を配置するスペースを広くとることができる。したがって、インペラ３の羽根３１を大きくして、インペラによる３送風量を増加させることができる。
【００４８】
このように、本実施形態のファンユニット１２は、環状溝部２１４と環状端部２２４とで構成されるラビリンス構造７０を有する。これにより、モータ２の内部への水滴の浸入を抑制して、ステータ２１２への水滴の付着を防止できる。その結果、モータ２の耐久性を向上させることができる。特に、モータ２をパネル４に固定した場合、モータ２は、筐体１１内の軸方向前方に配置されるため、風雨にさらされやすくなる。しかしながら、本実施形態のファンユニット１２では、パネル４にモータ２を固定し、かつ、ステータ２１２への水滴の付着を抑制できる。すなわち、モータ２をパネル４に固定して室外機１を薄型化することと、モータ１の内部への水滴の浸入を防止することとを、両立できる。
【００４９】
＜４．変形例＞
以上、本発明の例示的な実施形態について説明したが、本発明は上記の実施形態に限定されるものではない。
【００５０】
図７は、一変形例に係るファンユニットの部分断面図である。このファンユニットでは、静止部に属するベース部２１１Ａが、中心軸を中心に環状に突出する環状凸部２１５Ａを有する。環状凸部２１５Ａは、第１固定部５１Ａの後方の面から軸方向後方へ向かって突出している。また、回転部に属するロータカップ２２２Ａの円筒部６２Ａが、中心軸を中心に凹む環状溝部６３Ａを有する。環状溝部６３Ａは、円筒部６２Ａの軸方向前端から、軸方向後方へ向かって凹んでいる。そして、環状溝部６３Ａ内に、環状凸部２１５Ａが配置される。このように、回転部側に設けられた環状溝部６３Ａと、静止部側に設けられた環状凸部２１５Ａとで、ラビリンス構造７０Ａを形成してもよい。このような構造であっても、水滴の浸入経路を長くして、ステータ２１２Ａへの水滴の付着を抑制できる。
【００５１】
また、上記実施形態では、環状溝部はモータの静止部であるベース部に形成されていた。しかしながら、環状溝部はパネルに形成されてもよい。また、図７の構造において、環状凸部を、パネルに形成してもよい。
【００５２】
また、上記実施形態では、環状溝部に配置される環状端部は、ロータカップの円筒部に形成されていた。しかしながら、環状端部は、ロータカップとは別の部材であってもよい。
【００５３】
また、上記の実施形態では、貫通孔の基本的な形状が四角形や正六角形等の多角形であった。しかしながら、貫通孔の形状は、円形や楕円形であってもよいし、その他の形状であってもよい。
【００５４】
また、上記の実施形態では、パネルの枠部の径方向内縁の形状が軸方向から見て略円形であった。しかしながら、枠部の径方向内縁の形状は、軸方向から見て正六角形、正八角形または正十二角形等の多角形であってもよいし、その他の形状であってもよい。
【００５５】
また、上記の実施形態では、パネルの中央部の径方向外縁の形状が軸方向から見て略円形であった。しかしながら、中央部の径方向外縁の形状は、軸方向から見て正六角形、正八角形または正十二角形等の多角形であってもよいし、その他の形状であってもよい。
【００５６】
また、上記の実施形態のモータでは、静止部のステータが露出していたが、ステータは、モールド樹脂で覆われていてもよい。換言すれば、静止部は、ステータの少なくとも一部を覆うモールド樹脂を有していてもよい。ステータをモールド樹脂で覆えば、ステータへの水滴の付着を、より抑制できる。また、モータの駆動時に、ステータが磁気的作用で微振動することを抑制できる。したがって、モータの駆動時に発生する振動や騒音を、さらに抑制できる。
【００５７】
室外機およびファンユニットの各部を実現するための具体的な構成については、上記の実施形態に示された構成と、相違していてもよい。また、上記の実施形態や変形例に登場した各要素を、矛盾が生じない範囲で、適宜に組み合わせてもよい。
【産業上の利用可能性】
【００５８】
本発明は、ファンユニットおよび室外機に利用できる。
【符号の説明】
【００５９】
１  室外機
２  モータ
３  インペラ
４  パネル
１１  筐体
１２  ファンユニット
１３  熱交換器
１４  電源
１５  リード線
２１  静止部
２２  回転部
３１  羽根
４１  中央部
４２  枠部
４３  通気部
４４  貫通孔
５１，５１Ａ  第１固定部
５２  第２固定部
５３  ステータコア
５４  コイル
６０  リブ
６１  円板部
６２，６２Ａ  円筒部
６３Ａ  環状溝部
７０，７０Ａ  ラビリンス構造
１１１  排気口
１１２  吸気口
２１１，２１１Ａ  ベース部
２１２，２１２Ａ  ステータ
２１３  リード線保持部
２１４  環状溝部
２１５Ａ  環状凸部
２２１  シャフト
２２２，２２２Ａ  ロータカップ
２２３  マグネット
２２４  環状溝部
４３１  仕切部
４３２  テーパ面
５２１  軸受機構
５３１  ティース
【図１】
2019011871.tif 000003
【図２】
2019011871.tif 000004
【図３】
2019011871.tif 000005
【図４】
2019011871.tif 000006
【図５】
2019011871.tif 000007
【図６】
2019011871.tif 000008
【図７】
2019011871.tif 000009